(57)【要約】      （修正有）【課題】部材点数の増加を招くことなく、簡易な構造で通気性を確保することができるスノコを提供する。【解決手段】複数の長尺の横木２０が前後方向に互いに離間して平行に配置されて各横木２０が互いに連結されて形成され、連結された各横木２０に寝具が載置されるスノコ１０において、各横木２０は、寝具と接する上面２０ａを有し、上面２０ａにおいて深さが少なくとも８ｍｍ以上となる通気溝２１が長尺方向に亘って形成されている。【選択図】図４
0003205529.tif 000002
【実用新案登録請求の範囲】
【請求項１】
複数の長尺の横木が前後方向に互いに離間して平行に配置されて前記各横木が互いに連結されて形成され、連結された前記各横木に寝具が載置されるスノコにおいて、
前記各横木は、前記寝具と接する上面を有し、該上面において深さが少なくとも８ｍｍ以上となる通気溝が長尺方向に亘って形成された、
ことを特徴とするスノコ。
【請求項２】
前記各横木は、
前記上面と連続する一対の側面を有する端面矩形に形成され、
前記上面及び前記各側面をそれぞれ辺とした場合に前記上面の辺が前記各側面の辺に対して短尺に形成されたことを特徴とする請求項１に記載のスノコ。
【請求項３】
前記各横木が前後方向に互いに離間して平行に配置されて前記各横木が互いに連結されて形成された第１スノコ体と、
該第１スノコ体と対称となるように、前記各横木が前後方向に互いに離間して平行に配置されて前記各横木が互いに連結されて形成された第２スノコ体と、を備え、
該第２スノコ体と前記第１スノコ体とが互いに前後方向に折り畳み可能に連結されたことを特徴とする請求項１または２に記載のスノコ。
【請求項４】
前記第１スノコ体と前記第２スノコ体とがなす角が予め設定された開き角となるまで前記第１スノコ体と前記第２スノコ体とを互いに折り畳んだ際に前記第１スノコ体と前記第２スノコ体とを前記開き角で係止する係止手段を備えることを特徴とする請求項３に記載のスノコ。
【考案の詳細な説明】
【技術分野】
【０００１】
本考案は、スノコ、特に、複数の長尺の横木が前後方向に互いに離間して平行に配置されて各横木が互いに連結されて形成され、連結された各横木に寝具が載置されるスノコに関する。
【背景技術】
【０００２】
複数の長尺の横木が所定間隔をおいて平行に配置され、これら複数の横木が互いに連結されて形成されたスノコが、例えば、ベッドの床板として、あるいは床面に配置される寝台として用いられることがある。
【０００３】
スノコがベッドの床板あるいは寝台として用いられる際に、布団に湿気が含まれることになると、この湿気により布団やスノコにカビが発生することがある。したがって、布団やスノコから湿気を除去する対策を講じる必要がある。
【０００４】
特許文献１には、長尺の一対の横木片を狭隘な間隙を介して互いに平行に配して台座に固定して形成された横木が複数、平行に配置され、これら複数の横木が互いに連結されて形成されたスノコが開示されている。
【０００５】
この特許文献１のスノコによれば、横木を形成する一対の横木片が狭隘な間隙を介して連結されることで、この間隙が横木の長尺方向に延びる溝として形成されることから、通気性が確保される。したがって、布団に含まれることとなった湿気がスノコの溝を介して大気中に放散されることから、布団やスノコから湿気が除去される。
【先行技術文献】
【特許文献】
【０００６】
【特許文献１】特開２０１０−２７０４９８公報
【考案の概要】
【考案が解決しようとする課題】
【０００７】
しかし、特許文献１のスノコによれば、一対の横木片が連結されて横木が形成されることから、スノコの部材点数が増加することとなる。スノコの部材点数が増加すると、スノコの製造工程も増加することが懸念され、製造工程の増加に伴って作業コストが増大することも懸念される。
【０００８】
さらに、スノコの部材点数が増加すると、構造が複雑になって破損しやすくなる可能性が生じ、しかも、破損した場合に補修することが困難になる可能性も生じることが懸念される。
【０００９】
本考案は、上記事情に鑑みてなされたものであり、部材点数の増加を招くことなく、簡易な構造で通気性を確保することができるスノコを提供することを課題とするものである。
【課題を解決するための手段】
【００１０】
上記課題を解決するための請求項１に記載の考案によるスノコは、複数の長尺の横木が前後方向に互いに離間して平行に配置されて前記各横木が互いに連結されて形成され、連結された前記各横木に寝具が載置されるスノコにおいて、前記各横木は、前記寝具と接する上面を有し、該上面において深さが少なくとも８ｍｍ以上となる通気溝が長尺方向に亘って形成された、ことを特徴とする。
【００１１】
この構成によれば、各横木の上面に、各横木の長尺方向に亘る通気溝が形成されており、通気溝は少なくとも溝の深さが８ｍｍ以上であることから、各横木に寝具が載置された場合であっても、通気溝内に寝具が入り込むことがない。
【００１２】
したがって、通気溝による通気性が阻害されることのない通気性のよいスノコを、部材点数の増加を招くことのない簡易な構造によって、製造コストを抑制したうえで得ることができる。
【００１３】
請求項２に記載の考案によるスノコは、請求項１に記載のスノコにおいて、前記各横木は、前記上面と連続する一対の側面を有する端面矩形に形成され、前記上面及び前記各側面をそれぞれ辺とした場合に前記上面の辺が前記各側面の辺に対して短尺に形成されたことを特徴とする。
【００１４】
この構成によれば、各横木は、上面の辺が一対の側面の辺に対して短尺に形成されていることから、通気溝の深さを、少なくとも８ｍｍ以上において任意に設定することができる。したがって、設計の自由度を確保することができる。
【００１５】
しかも、各横木は、上面の辺が一対の側面の辺に対して短尺に形成された、上下方向に長尺ないわゆる縦長の形状であることから、寝具と接する上面において寝具との接触面を比較的小さくすることができる。
【００１６】
このとき、各横木の前後方向の間隔を狭小にして配置すると、各横木がその上面において、連続に近似した状態で配置されることから、良好な寝心地を保持することができる。
【００１７】
請求項３に記載の考案によるスノコは、請求項１または２に記載のスノコにおいて、前記各横木が前後方向に互いに離間して平行に配置されて前記各横木が互いに連結されて形成された第１スノコ体と、該第１スノコ体と対称となるように、前記各横木が前後方向に互いに離間して平行に配置されて前記各横木が互いに連結されて形成された第２スノコ体と、を備え、該第２スノコ体と前記第１スノコ体とが互いに前後方向に折り畳み可能に連結されたことを特徴とする。
【００１８】
この構成によれば、スノコを使用しない場合は、第１スノコ体と第２スノコ体とを互いに折り畳んで、第１スノコ体と第２スノコ体とを当接させることによって、スノコを容易に収納することができる。したがって、省スペース化を図ることができる。
【００１９】
請求項４に記載の考案によるスノコは、請求項３に記載のスノコにおいて、前記第１スノコ体と前記第２スノコ体とがなす角が予め設定された開き角となるまで前記第１スノコ体と前記第２スノコ体とを互いに折り畳んだ際に前記第１スノコ体と前記第２スノコ体とを前記開き角で係止する係止手段を備えることを特徴とする。
【００２０】
この構成によれば、第１スノコ体と第２スノコ体とがなす角が予め設定された開き角とされている状態で、第１スノコ体と第２スノコ体とが係止手段によって係止される。したがって、第１スノコ体と第２スノコ体とが予め設定された開き角とされている状態でスノコを保持することができることから、この状態におけるスノコの使用用途をも確保することができる。
【考案の効果】
【００２１】
この考案によると、通気溝による通気性が阻害されることのない通気性のよいスノコを、部材点数の増加を招くことのない簡易な構造によって、製造コストを抑制したうえで得ることができる。
【図面の簡単な説明】
【００２２】
【図１】本発明の実施の形態に係るスノコの概略を説明する平面図である。
【図２】同じく、本実施の形態に係るスノコの概略を説明する背面図である。
【図３】同じく、本実施の形態に係るスノコの概略を説明する側面図である。
【図４】図３のＡで示すスノコの要部拡大図である。
【図５】同じく、本実施の形態に係るスノコの概略を説明する図であり、（ａ）は、第１スノコ体と第２スノコ体とがなす角が予め設定された開き角となるまで第１スノコ体と第２スノコ体とが互いに折り畳まれた状態を説明する図、（ｂ）は、その状態において係止手段によって係止された状態を説明する図である。
【図６】スノコモデルによる通気作用の試験に用いられた実験装置の概略を説明する図であり、（ａ）は正面図、（ｂ）は側面図である。
【図７】スノコモデルによる通気作用を試験した実施例の結果を表した図である。
【考案を実施するための形態】
【００２３】
次に、図１〜図５を参照して、本考案の実施の形態について説明する。
【００２４】
図１は、本実施の形態に係るスノコの概略を説明する平面図であり、図２は、スノコの概略を説明する背面図であり、図３は、スノコの概略を説明する側面図である。
【００２５】
図示のように、スノコ１０は、本実施の形態では、床面に配置された状態において、寝具である布団が載置されて寝台として使用されるものであり、矢線ＦＲで示すスノコ１０の前後方向において折り畳み可能に連結された第１スノコ体１０−１、第１スノコ体１０−１と対称をなす第２スノコ体１０−２を主要構成として備える。
【００２６】
さらに、スノコ１０は、第１スノコ体１０−１と第２スノコ体１０−２とがなす所定の開き角となるまで第１スノコ体１０−１と第２スノコ体１０−２とを互いに折り畳んだ際に第１スノコ体１０−１と第２スノコ体１０−２とがなす所定の開き角において第１スノコ体１０−１と第２スノコ体１０−２とを係止する係止手段である保持部材１１を備える。
【００２７】
次に、スノコ１０の第１スノコ体１０−１及び第２スノコ体１０−２の具体的な構成について説明する。
【００２８】
なお、第１スノコ体１０−１及び第２スノコ体１０−２は、本実施の形態では同様の構成を有することから、第２スノコ体１０−２の各構成に第１スノコ体１０−１の各構成と同一の符号を付して第１スノコ体１０−１のみについて説明し、第２スノコ体１０−２の説明を省略する。
【００２９】
第１スノコ体１０−１は、本実施の形態では、前後方向ＦＲに沿った第１スノコ体１０−１の両側部に配置される外側縦木１２、１２、及び外側縦木１２、１２の間に配置される中縦木１３、これら外側縦木１２、１２及び中縦木１３に交差して組み合わせられる複数の長尺の横木２０を主要構成として備え、平面視で格子状に形成される。
【００３０】
複数の横木２０は、前後方向ＦＲに互いに離間して平行に配置され、各横木２０に形成された図示しない凹部が、外側縦木１２、１２及び中縦木１３に嵌合することによって組み合わせられる。
【００３１】
この第１スノコ体１０−１には、外側縦木１２、１２及び中縦木１３の端部の上面に、各横木２０と離間して各横木２０と平行に配置された平横木１４が設けられており、第１スノコ体１０−１の端部が形成される。
【００３２】
さらに、第１スノコ体１０−１の一方の外側縦木１２には、受け軸１５が設けられる。この受け軸１５には、本実施の形態では、第１スノコ体１０−１と第２スノコ体１０−２とがなす所定の開き角において第１スノコ体１０−１と第２スノコ体１０−２とを係止する保持部材１１が取り付けられる。
【００３３】
一方、第１スノコ体１０−１の背面には、外側縦木１２、１２及び中縦木１３において、樹脂製のテープ１６が貼付され、スノコ１０を床面に配置した際にスノコ１０の滑りが抑制される。
【００３４】
このように構成された第１スノコ体１０−１が、連結部材１７を介して第２スノコ体１０−２と前後方向ＦＲにおいて折り畳み可能に連結されることで、スノコ１０が構成される。
【００３５】
第１スノコ体１０−１と第２スノコ体１０−２とを互いに折り畳むと、第１スノコ体１０−１の背面と第２スノコ体１０−２の背面とが当接する。一方、第１スノコ体１０−１と第２スノコ体１０−２とを伸長させると、互いに対向する第１スノコ体１０−１の端部と第２スノコ体１０−２の端部とが突合する。
【００３６】
図４は、図３のＡで示すスノコ１０の要部拡大図である。図示のように、横木２０は、布団と接する上面２０ａ、上面２０ａと対向する下面２０ｂ、及び上面２０ａから下面２０ｂに亘って連続する一対の側面２０ｃ、２０ｃを有する端面視矩形であって、この端面矩形形状が長尺に伸長した角材によって形成される。
【００３７】
この横木２０は、本実施の形態では、上面２０ａ及び各側面２０ｃ、２０ｃをそれぞれ辺とした場合において、上面２０ａの辺が各側面２０ｃ、２０ｃの辺に対して短尺に形成されている。具体的には、横木２０は、本実施の形態では、上面２０ａの辺（幅長）が２０ｍｍに設定され、各側面２０ｃ、２０ｃの辺（高さ）が３０ｍｍに設定されている。
【００３８】
この横木２０には、本実施の形態では、その上面２０ａに通気溝２１が形成されている。この通気溝２１は、溝深さｈが少なくとも８ｍｍ以上、本実施の形態では１０ｍｍに設定され、かつ溝幅ｗが８ｍｍに設定された端面視凹状に切削加工されており、この端面凹状の形状が横木２０の長尺に伸長する方向に亘って連続する。
【００３９】
このような構成のスノコ１０を寝台として使用する場合は、第１スノコ体１０−１と第２スノコ体１０−２とを伸長させて、互いに対向する第１スノコ体１０−１の端部と第２スノコ体１０−２の端部とを突合させて床面に配置し、各横木２０の上に布団を載置する。
【００４０】
例えば、睡眠時における使用者の発汗により水蒸気が発生すると、水蒸気はスノコ１０に載置された布団に浸透して、布団に湿気が含まれることとなる。布団に含まれた湿気は、スノコ１０の各横木２０に形成された通気溝２１に進入し、進入した湿気は、各横木２０の長尺に伸長する方向に亘って連続する通気溝２１に沿って誘導されて大気中に放散される。
【００４１】
スノコ１０の各横木２０の上に布団が載置される場合、本実施の形態では、通気溝２１の溝深さｈが少なくとも８ｍｍ以上である１０ｍｍに設定されていることから、通気溝２１内に布団が入り込むことがない。したがって、通気溝２１による通気性が阻害されることがない。
【００４２】
スノコ１０を使用しない場合は、第１スノコ体１０−１と第２スノコ体１０−２とを互いに折り畳んで、第１スノコ体１０−１の背面と第２スノコ体１０−２の背面とを当接させる。これにより、スノコ１０を容易に収納することができることから、省スペース化を図ることができる。
【００４３】
一方、図５（ａ）で示すように、第１スノコ体１０−１と第２スノコ体１０−２とがなす角が、予め設定された開き角となるまで第１スノコ体１０−１と第２スノコ体１０−２とを互いに折り畳み、図５（ｂ）で示すように、保持部材１１を第１スノコ体１０−１の受け軸１５と第２スノコ体１０−２の受け軸１５との間に架設するように、受け軸１５に保持部材１１を差し込んで取り付ける。
【００４４】
これにより、第１スノコ体１０−１と第２スノコ体１０−２とがなす角が予め設定された開き角とされている状態で、第１スノコ体１０−１と第２スノコ体１０−２とが係止される。したがって、スノコ１０を布団の干し台として、あるいはその他の用途に使用することができる。
【００４５】
このように、本実施の形態のスノコ１０には、長尺に伸長する各横木２０の伸長方向に沿って、各横木２０の上面２０ａに切削加工によって通気溝２１が形成されている。したがって、部材点数の増加を招くことがなく、簡易な構造で製造コストが抑制された通気性のよいスノコ１０を得ることができる。
【００４６】
しかも、各横木２０は、本実施の形態では、上面２０ａの辺が各側面２０ｃ、２０ｃの辺に対して短尺に形成されていることから、通気溝２１の溝深さｈを、少なくとも８ｍｍに以上において任意に設定することができる。したがって、設計の自由度を確保することができる
【００４７】
さらに、各横木２０は、上下方向に長尺ないわゆる縦長の形状であることから、布団と接する上面２０ａにおいて布団の接触面を比較的小さくすることができる。このとき、各横木２０の前後方向ＦＲの間隔を狭小にして配置すると、各横木２０がその上面２０ａにおいて、連続に近似した状態で配置されることから、良好な寝心地を保持することができる。
【００４８】
（実施例）
次に、本考案の実施例を、図６及び図７に基づいて説明する。
【００４９】
図６は、スノコ１０を模したスノコモデルによる通気作用の試験に用いられた試験装置の概略を説明する図であり、（ａ）は正面図、（ｂ）は側面図である。図７は、スノコモデルによる通気作用を試験した実施例の結果を表した図である。
【００５０】
図６で示すように、試験装置３０は、外箱３１及び外箱３１に収容される内箱３２を備え、内箱３２の頂部３２ａの内側には、熱源となる電球３３が取り付けられるとともに、内箱３２の底部３２ｂには、スノコ１０を模したスノコモデル４０が配置される。
【００５１】
このスノコモデル４０には、複数の通気溝４１が設けられており、その溝幅は８ｍｍ、溝深さが１０ｍｍに設定されている。このスノコモデル４０の他に、溝幅が１０ｍｍ、溝深さが２．５ｍｍに設定された図示しないスノコモデル、及び通気溝が形成されていない図示しないスノコモデルが準備され、これら各スノコモデルが選択的に用いられることによって試験の条件が変更されて、スノコモデルの通気作用の試験が実施された。
【００５２】
スノコモデル４０に形成された通気溝４１、及び溝幅が１０ｍｍ、溝深さが２．５ｍｍに設定されたスノコモデルの通気溝は、外箱３１に連通するように構成されていた。
【００５３】
このような各スノコモデルの上に、布団モデル４２が載置され、かつ使用者に見立てられた錘４３が布団モデル４２の上に配置されるとともに、布団モデル４２の上には、濡れ布巾４４が配置された。電球３３の点灯によって、この濡れ布巾４４から水蒸気が発生され、布団モデル４２に湿気が含まれるように構成されていた。
【００５４】
外箱３１及び外箱３１に収容される内箱３２には、外箱３１内の湿度及び温度を検知し、かつ内箱３２内の湿度及び温度を検知する湿温度センサ３４が設けられていた。
【００５５】
このような試験装置３０を用いて、通気溝４１が形成されたスノコモデル４０、及び溝幅が１０ｍｍ、溝深さが２．５ｍｍに設定された通気溝を有するスノコモデルを選択した場合における、布団モデル４２に含まれることとなった湿気が通気溝（４１）を通って外箱３１の湿度及び温度に及ぼす影響を測定することによって、スノコモデルの通気性が試験された。
【００５６】
同様に、試験装置３０を用いて、通気溝が形成されていないスノコモデルを選択した場合における、布団モデル４２に含まれることとなった湿気が外箱３１の湿度及び温度に及ぼす影響を測定することによって、スノコモデルの通気性が試験された。
【００５７】
この試験では、各スノコモデルのそれぞれが選択的に用いられた。すなわち、各スノコモデルが試験装置３０に選択的に配置された状態において、電球３３を２時間ほど照射して、その間における外箱３１内の湿度及び温度、内箱３２内の湿度及び温度が、湿温度センサ３４によって検知された。
【００５８】
湿温度センサ３４によって検知された結果に基づいて、試験開始の際の湿度を１００％とした場合における、試験開始の際の湿度に対する時間変化に伴う湿度変化の割合が算出された。
【００５９】
図７で示すように、通気溝４１が形成されたスノコモデル４０が用いられた内箱３２の湿度変化割合は、実線ｏ１で示されており、外箱３１の湿度変化割合は実線ｏ２で示されている。
【００６０】
電球３３の点灯開始から２０分が経過した、試験の状態が安定した後の湿度変化によれば、時間の経過に伴って内箱３２の湿度が漸次上昇し、外箱３１の湿度も上昇したが、外箱３１の湿度上昇のほうが、内箱３２の湿度上昇に比べて急峻であった。これは、通気溝４０を介して内箱３２内の湿気が外箱３１に移動したことに起因するものであると考えられる。
【００６１】
一方、溝幅が１０ｍｍ、溝深さが２．５ｍｍに設定された通気溝を有するスノコモデルが用いられた内箱３２の湿度変化割合は実線ｐ１で示されており、外箱３１の湿度変化割合は実線ｐ２で示されている。
【００６２】
電球３３の点灯開始から２０分が経過した、試験の状態が安定した後の湿度変化によれば、時間の経過に伴って内箱３２の湿度が漸次上昇し、外箱３１の湿度も上昇した。
【００６３】
もっとも、実線ｐ１で示した内箱３２の湿度変化割合は、通気溝４１が形成されたスノコモデル４０が用いられた場合の実線ｏ１で示した内箱３２の湿度変化割合に比べて高い湿度変化割合のまま推移しており、実線ｐ２で示した外箱３１の湿度変化割合は、スノコモデル４０が用いられた場合の実線ｏ２で示した外箱３１の湿度変化割合に比べて相当程度に低い状態のまま推移していることが分かった。
【００６４】
これは、溝幅が１０ｍｍ、溝深さが２．５ｍｍに設定された通気溝を有するスノコモデルの場合は、通気溝４１が形成されたスノコモデル４０の場合に比べて、内箱３２から外箱３１への湿気の移動が大きくないことに起因するものであると考えられる。
【００６５】
さらに、通気溝が形成されていないスノコモデルが用いられた内箱３２の湿度変化割合は、実線ｑ１で示されており、外箱３１の湿度変化割合は実線ｑ２で示されている。
【００６６】
電球３３の点灯開始から２０分が経過した、試験の状態が安定した後の湿度変化によれば、比較的短時間で内箱３２の湿度が上昇し、外箱３１の湿度は時間経過に伴って漸次低下していった。
【００６７】
これにより、通気溝が形成されていないスノコモデルでは、湿気を大気中に放散することが困難であることが分かった。
【００６８】
このように、試験の結果によれば、溝幅が８ｍｍ、溝深さが１０ｍｍに設定された通気溝４１が形成されたスノコモデル４０が、最も通気性に優れていることが判明した。したがって、溝深さを深くすることによって、通気性が向上することが分かった。
【００６９】
なお、本考案は上記実施の形態及び実施例に限定されることはなく、考案の趣旨を逸脱しない範囲で種々変更可能である。上記実施の形態では、スノコ１０が、床面に配置された状態において布団が載置されて寝台として使用される場合を説明したが、スノコをベッドの床板として使用することも可能である。
【００７０】
上記実施の形態では、スノコ１０が第１スノコ体１０−１及び第２スノコ体１０−２によって構成されている場合を説明したが、例えば、前後方向ＦＲに互いに離間させて平行に配置された各横木２０を互いに巻回可能に連結してスノコを構成し、使用者が使用しない場合には、いわゆるロール状に巻回しておくことができるスノコを構成することも可能である。
【符号の説明】
【００７１】
１０    スノコ
１０−１    第１スノコ体
１０−２    第２スノコ体
１１    保持部材（係止手段）
２０    横木
２０ａ    上面
２０ｃ    側面
２１    通気溝
【図１】
0003205529.tif 000003
【図２】
0003205529.tif 000004
【図３】
0003205529.tif 000005
【図４】
0003205529.tif 000006
【図５】
0003205529.tif 000007
【図６】
0003205529.tif 000008
【図７】
0003205529.tif 000009